(57)【要約】      （修正有）【課題】錘，浮子，コイルスプリング等の任意の部材を着脱自在に取付可能で、それによって多様な機能を発揮できる撒餌籠を提供する。【解決手段】略馬蹄形に湾曲した３本以上の可撓性線材２，…を、可撓性線材２，…の湾曲端を下方に向け、隣接する他の可撓性線材２と夫々少なくとも１箇所以上で交差する様に略環状に配置して籠枠２０を形成し、可撓性線材２，…の両上端を基材１に連結固定する。略環状の開閉制御部材３を可撓性線材２，…に摺動可能に設け、条体４，…を、可撓性線材２，…の交差部と開閉制御部材３に張架する。そして、支持棒材５を、少なくともその一部が基材１から籠枠２０内に突出する様にして設ける。上記構成を有する撒餌籠によれば、開閉制御部材３を摺動させ可撓性線材２，…を拡開した後、錘６，浮子７コイルスプリング８等の部材を入れ可撓性線材２，…を閉じることにより、前記部材を籠枠２０内に保持できる。【選択図】図１
0003151890.tif 000002
【実用新案登録請求の範囲】
【請求項１】
略馬蹄形に湾曲した３本以上の可撓性線材を、該可撓性線材の湾曲端を下方に向け、隣接する他の可撓性線材と夫々少なくとも１箇所以上で交差する様にして、略環状に配置して形成した籠枠と、
前記可撓性線材の両上端が連結固定された基材と、
少なくともその一部が、前記基材から籠枠内に突出する様に設けられた支持棒材と、
可撓性線材に摺動可能に設けられた略環状の開閉制御部材と、
可撓性線材の交差部と開閉制御部材とに張架された条体と
を具えてなることを特徴とする撒餌籠。
【請求項２】
支持棒材が、周面の少なくとも一部を螺子加工され、基材を上下貫通する螺子孔に螺合されてなることを特徴とする請求項１に記載の撒餌籠。
【請求項３】
可撓性線材の湾曲端が外湾されてなることを特徴とする請求項１又は請求項２に記載の撒餌籠。
【請求項４】
可撓性線材の湾曲端に、外方に突出するループが設けられてなることを特徴とする請求項１又は請求項２に記載の撒餌籠。
【請求項５】
貫通孔を有する浮子又は錘が、当該貫通孔に支持棒材を挿通され、籠枠内に配置されてなることを特徴とする請求項１乃至請求項４の何れか１項に記載の撒餌籠。
【請求項６】
支持棒材に、可撓性線材の湾曲端を係止可能な係止部が設けられてなることを特徴とする請求項１乃至請求項５の何れか１項に記載の撒餌籠。
【請求項７】
支持棒材の下端に烏賊針部が設けられ、該烏賊針部が籠枠外に配置されてなることを特徴とする請求項１乃至請求項６の何れか１項に記載の撒餌籠。
【請求項８】
集魚用発光部材が、可撓性線材の湾曲端に挟持されてなることを特徴とする請求項１乃至請求項４の何れか１項に記載の撒餌籠。
【考案の詳細な説明】
【技術分野】
【０００１】
本考案は、撒餌籠に関する。
【背景技術】
【０００２】
魚釣りの撒餌としてオキアミ，魚肉等が頻用されるが、それらが単独で用いられることは少なく、遠投を可能としたり、海中に沈む速さを調整したりするため、オキアミ，魚肉等につなぎを混入し撒餌籠に入れて用いられることが多い。釣りの場所，仕掛けの種類，魚の種類等によって求められる機能が異なることを反映して、様々な形状の撒餌籠が用いられており、他の機能を併せ持つ撒餌籠も開示されている。
【０００３】
例えば、撒餌籠の下端に、錘を着脱できるねじを取り付けることが開示されている（例えば、特許文献１参照）。
【０００４】
カゴ部の上端に浮子が設けられ、カゴ部の下端に錘が設けられ、浮子を貫通してカゴ部の内部に至り、そのカゴ部の内部から錘を貫通する道糸挿通ガイドが設けられていることを特徴としたまき餌カゴ付き浮きが開示されている（例えば、特許文献２参照）。
【先行技術文献】
【特許文献】
【０００５】
【特許文献１】特開平７−３１３０３１号公報
【特許文献２】実開平６−８６４７８号公報
【考案の概要】
【考案が解決しようとする課題】
【０００６】
しかしながら、上記特許文献１には、撒餌籠の底部に設けられたねじに螺合することにより、錘を着脱自在に取り付け又は取り替えることは記載されているものの、錘以外の部材を取り付けることは開示されていない。
【０００７】
特許文献２に記載のまき餌カゴ付き浮きは、錘及び浮子が撒餌籠と一体として作製されたものであって、当該錘及び浮子は着脱不能であり、容易に交換することもできない。また、錘及び浮子以外の機能を付与することについては、何ら開示されていない。
【０００８】
上記問題点に鑑み、本考案は、錘，浮子，コイルスプリング等の任意の部材を着脱自在に取付可能で、それによって多様な機能を発揮できる撒餌籠を提供することを課題とする。
【課題を解決するための手段】
【０００９】
上記課題を解決する第１の考案は、
略馬蹄形に湾曲した３本以上の可撓性線材を、該可撓性線材の湾曲端を下方に向け、隣接する他の可撓性線材と夫々少なくとも１箇所以上で交差する様にして、略環状に配置して形成した籠枠と、
前記可撓性線材の両上端が連結固定された基材と、
少なくともその一部が、前記基材から籠枠内に突出する様に設けられた支持棒材と、
可撓性線材に摺動可能に設けられた略環状の開閉制御部材と、
可撓性線材の交差部と開閉制御部材とに張架された条体と
を具えてなる撒餌籠である。
【００１０】
第２の考案は、支持棒材が、周面の少なくとも一部を螺子加工され、基材を上下貫通する螺子孔に螺合されてなる、第１の考案に係る撒餌籠である。
【００１１】
第３の考案は、可撓性線材の湾曲端が外湾されてなる第１又は第２の考案に係る撒餌籠である。
【００１２】
第４の考案は、可撓性線材の湾曲端に、外方に突出するループが設けられてなる第１又は第２の考案に係る撒餌籠である。
【００１３】
第５の考案は、貫通孔を有する浮子又は錘が、当該貫通孔に支持棒材を挿通され、籠枠内に配置されてなる第１乃至第４の考案の何れかに係る撒餌籠である。
【００１４】
第６の考案は、支持棒材に、可撓性線材の湾曲端を係止可能な係止部が設けられてなる第１乃至第５の考案の何れかに係る撒餌籠である。
【００１５】
第７の考案は、支持棒材の下端に烏賊針部が設けられ、該烏賊針部が籠枠外に配置されてなる第１乃至第６の考案の何れかに係る撒餌籠である。
【００１６】
第８の考案は、集魚用発光部材が、可撓性線材の湾曲端に挟持されてなる第１乃至第４の考案の何れかに係る撒餌籠である。
【考案の効果】
【００１７】
第１の考案によれば、開閉制御部材を摺動させるのみで、容易に、可撓性線材を拡開させ又は閉じることができる。可撓性線材を拡開させた状態では、籠枠の下方が開いているから、支持棒材の籠枠内の部分に、錘，浮子，コイルスプリング等の任意の部材を着脱自在に取り付けることができる。その後、可撓性線材を閉じると、籠枠は閉じられ、支持棒材に取り付けられた前記部材は脱落せず籠枠内に保持される。
【００１８】
また、支持棒材に直接取り付けないまでも、可撓性線材間の空隙より大きな外径を有する任意の部材を、可撓性線材の開閉を利用して籠枠内に保持することもできる。例えば、小石を籠枠内に保持することによって、当該小石を錘として用いることができる。
【００１９】
上記の様に、本考案は、任意の部材を着脱自在に取付可能で、それによって多様な機能を発揮する。しかも、状況や目的に応じて部材を取り替えるのみで本考案の発揮する機能を変えられるから、釣りに携行する用具を少なくして、携行物の軽量化を図ることができる。
【００２０】
相互に固定されていない可撓性線材で籠枠が構成されているから、本考案は強靭で、意図せず落としたり踏み付けたりしても、又は海中で岩に当たってしまったとしても、容易に損壊することはない。
【００２１】
第２の考案によれば、支持棒材が基材に着脱自在に螺合されているから、支持棒材を取り替えることによって、本考案の機能を変えることができる。これによって、本考案は、より多様な機能を発揮する。
【００２２】
第３の考案によれば、可撓性線材の湾曲端が外湾されているから、可撓性線材を閉じることにより、当該外湾された外湾部で、安定に部材を挟持することができる。これによって、支持棒材を挟持して安定化し、又は任意の部材を挟持して本考案に新たな機能を付与することができる。
【００２３】
第４の考案によれば、ループの基部内側の中央が凹んでいるから、可撓性線材を閉じることにより、当該基部内側で部材を安定に挟持することができる。また、ループに、鉤素を結び付けて用いることができる。この場合、可撓性線材の一部分であるループも可撓性であって、魚を釣る時の衝撃を緩和する機能を有するから、釣用クッションゴムを介さずに鉤素をループに直接結び付けることができる。
【００２４】
第５の考案によれば、錘及び浮子を着脱自在に取り付けられるから、重量の異なる錘に取替え、浮力の異なる浮子に取替え、又は錘や浮子の個数を変えることにより、遠投の飛距離や着水後の深さを調整することができる。錘及び浮子の取替えが容易であり、釣りに携行する用具を減らすこともできる。
【００２５】
第６の考案によれば、可撓性線材の湾曲端を係止部に係止し、支持棒材を基材に対して回転させることによって、籠枠を形成する可撓性線材間の間隔を変化させることができる。潮流の速い場所においては前記間隔を狭くして撒餌が短時間で放出してしまうことを回避し、逆に潮流が緩慢な場所においては前記間隔を広くして撒餌の放出速度を速くして、撒餌の放出速度を調整することができる。また、前記間隔を広くすることによって、大径の固形物を含有する撒餌を、本考案に入れて用いることができる。
【００２６】
第７の考案によれば、本考案を、撒餌籠を兼ねたルアーとして用いることができる。
【００２７】
第８の考案によれば、集魚用発光部材によって、撒餌による集魚効果を向上させることができる。
【図面の簡単な説明】
【００２８】
【図１】実施例１の撒餌籠を示す下方視斜視図である。
【図２】実施例１の撒餌籠を示す図面で、可撓性線材の湾曲端付近を示す要部下方視斜視図である。
【図３】別の実施形態に係る可撓性線材の湾曲端付近を示す要部下方視斜視図である。
【図４】実施例１の撒餌籠を示す図面で、籠枠を開いた状態を示す要部下方視斜視図である。
【図５】実施例２の撒餌籠の側面図である。
【図６】実施例３の撒餌籠の側面図である。
【図７】実施例４の撒餌籠の側面図である。
【考案を実施するための形態】
【００２９】
以下に、本考案を実施するための形態を、実施例を示す図面を参照して詳細に説明する。尚、本実施例に、本考案は限定されるものではない。
【実施例１】
【００３０】
本考案に係る撒餌籠は、図１に示される様に、
略馬蹄形に湾曲した３本以上の可撓性線材２，…を、該可撓性線材２，…の湾曲端を下方に向け、隣接する他の可撓性線材２，２と夫々少なくとも１箇所以上で交差する様にして、略環状に配置して形成した籠枠２０と、
前記可撓性線材２，…の両上端が連結固定された基材１と、
少なくともその一部が、前記基材１から籠枠２０内に突出する様に設けられた支持棒材５と、
可撓性線材２，…に摺動可能に設けられた略環状の開閉制御部材３と、
可撓性線材２，…の交差部２ｘ，…と開閉制御部材３とに張架された条体４と
を具えている。
【００３１】
基材１は、略六角柱状に形成され、その略中央には、上下貫通する螺子孔が穿設されている。基材１は、剛性を有する金属又は合成樹脂，木材，竹材等で作製されるが、その材質は特に限定されない。加工成形容易で耐久性に優れる金属が好適に用いられ、水に触れても腐食し難いステンレス鋼又は防錆処理加工された金属が、より好適に用いられる。基材１の形状は、必ずしも略六角柱状に限られず、例えば、円柱状，楕円柱状，多角柱状，球状，楕球状その他の任意形状とされていても良い。また、基材１として、ナットを用いることもできる。
【００３２】
可撓性線材２，…は、ステンレス鋼線を略馬蹄形に湾曲させて作製され、互いに略同一の形状とされている。可撓性線材２，…の材質は、可撓性を有する材質であれば必ずしもステンレス鋼に限定されず、例えば、可撓性を有する金属若しくは合成樹脂，木材，又は竹材を用いることができる。加工成形容易で耐久性に優れる金属が好適に用いられ、水に触れても腐食し難いステンレス鋼又は防錆処理加工された金属が、より好適に用いられる。また、また、可撓性線材２，…を形成するステンレス鋼線の断面形状は、特に限定されない。
【００３３】
可撓性線材２，…の両上端は、螺子孔を囲う様にして、基材１の下方に溶接され連結固定されている。可撓性線材２，…と基材１とは、強固に連結固定されていれば必ずしも溶接されていることに限られず、例えば、可撓性線材２，…と基材１とが一体として作製されていても良い。
【００３４】
可撓性線材２は、隣接する可撓性線材２，２と夫々少なくとも１箇所以上で交差する様にして略環状に配置されていて、斯様に配置された可撓性線材２，…によって籠枠２０が形成されている。可撓性線材２，…の数は、本考案を構成可能な３以上であれば、特に限定されない。また、可撓性線材２，…が４本以上の場合には、可撓性線材２が、隣接する可撓性線材２，２と夫々１箇所で交差する様に配置されていても良く、また、例えば、他の全ての可撓性線材２，…と交差する様に配置されていても良い。
【００３５】
可撓性線材２の湾曲端には、図２に示される様に、外方に突出するループ２ａが設けられている。該ループ２ａ，…には、鉤素を結び付けることができる。ループ２ａの基部内側２ｂは、中央が凹まされ部材を挟持し易い形状とされているから、可撓性線材２，…を閉じた時に、当該基部内側２ｂ，…で安定に部材を挟持できる。
【００３６】
可撓性線材２の湾曲端の形状は、必ずしも上記形状に限られず、例えば、図３に示される様に、可撓性線材の湾曲端が外湾され、外湾部２ｃが形成されていても良い。この場合においても、外湾部２ｃ，…が部材を挟持し易い形状であるから、可撓性線材２，…を閉じた時に、安定に部材を挟持することが可能である。
【００３７】
開閉制御部材３は、ステンレス鋼線を略環状に形成することによって作製され、可撓性線材２，…と共に、撒餌を保持する機能を有する。開閉制御部材３の材質は、必ずしもステンレス鋼に限られず、例えば、金属，合成樹脂，木材，又は竹材を用いることができる。加工成形容易で耐久性に優れる金属が好適に用いられ、水に触れても腐食し難いステンレス鋼又は防錆処理加工された金属が、より好適に用いられる。開閉制御部材３の直径は、可撓性線材２，…を閉じたときの籠枠２０の最大径に略等しくされていて、可撓性線材２，…に過度の負荷が掛からない様にされている。開閉制御部材３を形成するステンレス鋼線の断面形状は、特に限定されない。
【００３８】
開閉制御部材３は、図１に示される様に各可撓性線材２に２箇所で巻回する形状とされ、それによって、可撓性線材２，…に摺動可能とされている。当該巻回部３ａ，…のうち２箇所の巻回部３ａ’，３ａ’は、多数回の巻回により筒状に形成され可撓性線材２，…に対する接触面積が広くされているから、開閉制御部材３の意図しない摺動を防ぐ働きを持つ。その余の巻回部３ａ，…は、１回ずつ巻回する様に形成され、大きな摩擦を生じない様にされている。
【００３９】
巻回部３ａ，…の数は特に限定されないが、可撓性線材２，…に均等に力が加わる様、各可撓性線材２，…に対して少なくとも１箇所ずつ設けられていることが好ましい。各巻回部３ａ，…における巻回数は特に限定されないが、開閉制御部材３の意図しない摺動を防ぐために、多数回巻回された巻回部３ａ’，…が少なくとも１箇所設けられていることが好ましい。また、開閉制御部材３が可撓性線材２，…に対して摺動可能であれば、必ずしも巻回部３ａ，…を設けることに限られず、例えば、開閉制御部材３の内周に当接する様に設けられた、可撓性線材２，…を挿通するための複数の小径の筒が、開閉制御部材３と一体として作製されていても良い。
【００４０】
条体４は、ワイヤロープの両端に下方環状部４ａ及び上方環状部４ｂを設けることによって作製され、下方環状部４ａには可撓性線材２，２の交差部２ｘが、及び上方環状部４ｂには開閉制御部材３が挿通されている。条体４の材料は、強靭な線材であれば必ずしもワイヤロープに限られず、任意種の金属線又は合成樹脂製の線材を用いることができる。
【００４１】
可撓性線材２，…は、基材１に近い上部ほど幅狭い略馬蹄形に形成されているから、所定径の開閉制御部材３を摺動させ基材１に近付けると、図４に示される様に、可撓性線材２，…が拡開して籠枠２０の下方が開く。この場合、上方環状部４ｂ，…が開閉制御部材３に係合しているから条体４，…も基材１側に移動し、下方環状部４ａ，…が可撓性線材２，２の交差部２ｘ，…に作用して可撓性線材２，…の拡開を助ける。逆に、開閉制御部材３を基材１から遠ざけると、下方環状部４ａの可撓性線材２，２に対する作用は消失し、所定径の開閉制御部材３によって可撓性線材２，…は閉じられる。
【００４２】
支持棒材５は周面の一部が螺子加工された棒材であって、その上端に穿設された係合孔５ａの係合により、本考案は道糸や天秤式仕掛け等に取り付けられる。支持棒材５の螺子加工されていない下部は、略円柱状に形成されて、可撓性線材２，…の湾曲端よりも低い位置にまで延出されている。支持棒材５は、螺子孔に着脱自在に螺合されているから、例えば、実施例２以降に記載する他形状の支持棒材と、容易に交換することができる。
【００４３】
支持棒材５は、剛性を有する金属又は合成樹脂，木材，竹材等で作製されるが、その材質は特に限定されない。加工成形容易で耐久性に優れる金属が好適に用いられ、水に触れても腐食し難いステンレス鋼又は防錆処理加工された金属が、より好適に用いられる。また、支持棒材５の形状は、少なくともその一部が基材１から籠枠２０内に突出していれば良く、必ずしも上記形状に限定されない。例えば、下端付近のみが籠枠２０内に突出した短尺の棒材であっても良い。また、例えば、支持棒材５が基材１と一体として作製されていても良く、その場合には、基材１に、道糸や天秤式仕掛け等に係合する環状の係合部を設けることもできる。
【００４４】
貫通孔を有する略球形の錘６及び浮子７，７が、前記貫通孔に支持棒材５を挿通することによって、支持棒材５に取り付けられている。可撓性線材２，…を閉じた場合には、基部内側２ｂ，…が形成する空隙は、支持棒材５の外径より大きく、かつ、錘６，…及び浮子７，…の外径よりも小さくされていて、錘６及び浮子７，７は籠枠２０内部に保持される。錘６及び浮子７，７は、必ずしも上記の様にして支持棒材５に取り付けられることに限られず、例えば、周面全体が螺子加工された支持棒材５に錘６及び浮子７，７が螺合されていても良い。また、例えば、支持棒材５における錘６及び浮子７，７の上方に、撒餌を確実に保持するためのコイルスプリング８が巻回されていても良く、又は、錘６及び浮子７，７が、支持棒材５に取り付けられず、単に籠枠２０内に配置され保持されていても良い。
【００４５】
本考案を用いる場合には、既述の操作によって開閉制御部材３を基材１側に摺動させて可撓性線材２，…を拡開し、任意数の錘６，…及び任意数の浮子７，…を取り付けてから、開閉制御部材３を逆向きに摺動させて可撓性線材２，…を閉じ、更に撒餌を籠枠２０に入れて保持させる。コイルスプリング８が設けられている場合には、撒餌を、より安定に保持することができる。
【実施例２】
【００４６】
以下、本考案の別の実施例について説明するが、実施例１と同一部分には同一符号を付して、詳細な説明は省略する。
【００４７】
実施例２の撒餌籠は、図５に示される様に、支持棒材５，錘６，及び浮子７，７の代りに、下端に略球形の錘部５１ａを形成した支持棒材５１が螺合されていて、その余の構成は実施例１の撒餌籠と同一である。
【００４８】
錘部５１ａは、可撓性線材２，…の湾曲端よりも低い位置、即ち、籠枠２０外に配置されている。錘部５１ａの上端付近は、支持棒材５１の他部位よりも幅広くされ、可撓性線材２，…の湾曲端を係止可能な係止部５１ｂが形成されている。可撓性線材２，…の湾曲端を係止部５１ｂに係止した状態で、基材１に対して支持棒材５１を回転させ錘部５１ａの基材１に対する相対位置を上げると、可撓性線材２，…の曲率が変化して、可撓性線材２，…間の間隔が広くなると共に、籠枠２０が上下方向に短くなり側方に膨らむ。
【００４９】
錘部５１ａは、可撓性線材２，…の湾曲端を係止可能であれば良く、必ずしも籠枠２０外に配置されることに限られない。例えば、錘部５１ａが可撓性線材２，…の湾曲端直上に配置されて該湾曲端に係止されている場合には、錘部５１ａの下端付近が係止部として機能する。この場合、支持棒材５１を回転させて錘部５１ａの相対位置を下げることにより、当該回転のみによって、可撓性線材２，…間の間隔を狭めると共に、籠枠２０を長く幅狭い形状に変形させることができる。
【００５０】
錘部５１ａが可撓性線材２，…の湾曲端を係止可能であれば、必ずしも支持棒材５１と錘部５１ａが一体として作製されることに限られず、例えば、実施例１の支持棒材５に錘部５１ａが螺着されていても同様の機能を発揮する。
【実施例３】
【００５１】
以下、本考案の別の実施例について説明するが、実施例１及び実施例２と同一部分には同一符号を付して、詳細な説明は省略する。
【００５２】
実施例３の撒餌籠は、図６に示される様に、支持棒材５，錘６，及び浮子７，７の代りに、下端に烏賊針部５２ａを形成した支持棒材５２が螺合されていて、その余の構成は実施例１の撒餌籠と同一である。
【００５３】
烏賊針部５２ａは、可撓性線材２，…の湾曲端よりも低い位置、即ち、籠枠２０外に配置されている。上記の様に構成した本実施例の撒餌籠は、撒餌籠の機能のみならず烏賊針としての機能をも有していて、ルアーとして用いることができる。上記構成のみでもルアーとして充分に機能し、特に本考案が光沢を有する金属製の場合には何ら装飾を施す必要は無いが、更にラバースカート等の装飾を施すことによりルアーとしての有用性を高めることもできる。
【実施例４】
【００５４】
以下、本考案の別の実施例について説明するが、実施例１乃至実施例３と同一部分には同一符号を付して、詳細な説明は省略する。
【００５５】
実施例４の撒餌籠は、図７に示される様に、支持棒材５，錘６，及び浮子７，７の代りに、支持棒材を兼ねる集魚用発光部材９が螺合されている。
【００５６】
集魚用発光部材９は、下端付近に発光部９ａが設けられた発光部材であって、その余の構成は実施例１の支持棒材５と略同一である。発光部９ａは、小型電池と電球を内蔵し、少なくともそのハウジングは透光性の合成樹脂で作製されていて、前記電球から発せられた光の少なくとも一部が放射される構成である。発光部９ａ下端の中央部は、下方に突出し、可撓性線材２，…の湾曲端で挟持されている。可撓性線材２，…の湾曲端の基部内側２ｂ，…は、図２に示される様に、挟持に適した形状とされているから、集魚用発光部材９は、単に螺合されるよりも安定に固定されている。
【００５７】
集魚用発光部材９の形状，サイズ，及び材質は、特に限定されない。例えば、支持棒材とは別体として作製された集魚用発光部材が可撓性線材２，…の湾曲端に単に挟持され、又は、貫通孔を有する集魚用発光部材が支持棒材に外嵌挿入されて設けられていても良い。また、集魚用発光部材９は必ずしも電球を内蔵することに限られず、例えば内蔵された発光ダイオードによって、又は化学発光によって光を放射する部材であっても良い。
【産業上の利用可能性】
【００５８】
叙上の通り、本考案は各種機能を付与できる撒餌籠として有用であるが、その特徴的形状により、トローリング用の水切としても用いることもできる。
【符号の説明】
【００５９】
１  基材
２  可撓性線材
２ａ  ループ
２ｂ  基部内側
２ｃ  外湾部
２ｘ  交差部
３  開閉制御部材
３ａ，３ａ’  巻回部
４  条体
４ａ  下方環状部
４ｂ  上方環状部
５，５１，５２  支持棒材
５ａ  係合孔
６  錘
７  浮子
８  コイルスプリング
９  集魚用発光部材
９ａ  発光部
２０  籠枠
５１ａ  錘部
５１ｂ  係止部
５２ａ  烏賊針部
【図１】
0003151890.tif 000003
【図２】
0003151890.tif 000004
【図３】
0003151890.tif 000005
【図４】
0003151890.tif 000006
【図５】
0003151890.tif 000007
【図６】
0003151890.tif 000008
【図７】
0003151890.tif 000009